(57)【要約】  【課題】連結に必要な部品数を最少にしてコスト低減を図ることが可能な柱連結式コンテナハウスを提供することを目的とする。  【解決手段】本発明は上記目的を達成するためにコンテナハウスの隅部に立設された柱２Ｌ１，２Ｒ１の室内側に露出した部位に、コンテナハウスの桁方向及び妻方向の連結を可能にするボルト等による連結部８，９を設け、コンテナハウスをボルト等の連結手段により桁方向及び又は妻方向に連結可能に構成した柱連結式コンテナハウスを提供するものである。【選択図】図２
2007314937.tif 000002
【特許請求の範囲】
【請求項１】
コンテナハウスの隅部に立設された柱における室内側に露出した部位に、当該コンテナハウスの桁方向及び妻方向の連結を可能にするボルト等による連結部を設け、前記コンテナハウスをボルト等の連結手段により桁方向及び又は妻方向に連結可能に構成してなることを特徴とする柱連結式コンテナハウス。
【請求項２】
上記柱は主柱と、上記ボルト等による連結部が設けられるとともに前記主柱の室内側に添うように該主柱と一体に構成された副柱体とからなることを特徴とする請求項１記載の柱連結式コンテナハウス。
【請求項３】
上記柱の上端部に固設された桁方向梁もしくは妻方向梁の少なくともいずれかに天井側に対するボルト等による連結部を設け、上記コンテナハウスの底部には前記天井側に対するボルト等による連結部に対応した底部側に対するボルト等による連結部を設けてなることを特徴とする請求項１又は２記載の柱連結式コンテナハウス。
【発明の詳細な説明】
【技術分野】
【０００１】
本発明は、柱連結式コンテナハウスに関するものであり、特に、連結に必要な部品数を最少にしてコスト低減を図ることが可能な柱連結式コンテナハウスに関するものである。
【背景技術】
【０００２】
柱連結式コンテナハウスに関連するコンテナハウスの連結機構として、例えば本出願人の特許出願に係る特願２００５−３３９３４６号の願書に添付した明細書及び図面に開示されているように、コンテナハウスの端部に設けられる柱の上下端部に固設せられ且つ、桁方向及び妻方向の梁も固設されるブロック体であって、該ブロック体にはコンテナハウスの桁方向及び妻方向の連結を可能にすべくボルト等による連結部が設けられ、ボルト等の連結によりコンテナハウスが桁方向及び又は妻方向にも連結されるようにしたものがある。
【０００３】
また、柱連結式コンテナハウスに関連する従来技術として、例えば次のようなコンテナハウスの連棟構造が知られている。この従来技術は、二つのコンテナハウスを連棟する際に、一方のコンテナハウスにおける縦枠体の下部及び他方のコンテナハウスにおける縦枠体の下部に、それぞれ取付金具を取り付け、一方の取付金具における前記縦枠体面よりも外方にやや突出した部位と、他方の取付金具における前記縦枠体面よりも外方にやや突出した部位との間をボルトとナットで連結するとともに両取付金具の間における前記ボルトの部分に、両コンテナハウス間の間隔長に対応した厚さのスペーサを着脱容易に配設している（例えば、特許文献１参照）。
【特許文献１】特開２００４−２５７１１５号公報（第３頁、図３）。
【発明の開示】
【発明が解決しようとする課題】
【０００４】
特願２００５−３３９３４６号の願書に添付した明細書及び図面に開示されたコンテナハウスの連結機構においては、コンテナハウスを桁方向及び又は妻方向に連結可能としているが、柱の上下端部に連結用の部品としてブロック体の固設を必要としている。
【０００５】
また、特許文献１に記載の従来技術においては、二つのコンテナハウスを連棟する際に、両コンテナハウスにおける各縦枠体の下部に、それぞれ連結用の部品である取付金具の取り付けを必要とし、また、該両取付金具の間にスペーサを挿着している。そして、該両取付金具における前記縦枠体面よりも外方にやや突出した部位でボルトとナットで連結している。このため、４棟のコンテナハウスを田の字形に連結することは困難である。
【０００６】
そこで、連結に必要な部品数を最少にしてコスト低減を図り、また、雨漏れ、床面の段差等の不具合の発生を防止し、さらには、４棟のコンテナハウスを田の字形に連結するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、コンテナハウスの隅部に立設された柱における室内側に露出した部位に、当該コンテナハウスの桁方向及び妻方向の連結を可能にするボルト等による連結部を設け、前記コンテナハウスをボルト等の連結手段により桁方向及び又は妻方向に連結可能に構成してなる柱連結式コンテナハウスを提供する。
【０００８】
この構成によれば、いま、２棟のコンテナハウスを桁方向に連結するとき、該２棟のコンテナハウスを桁方向に並設し、該両コンテナハウスにおける隣接した各柱の部分に設けられている桁方向の連結部を介して、室内からボルト等の連結手段で締結することにより前記２棟のコンテナハウスを、それぞれの柱の室内側に露出した部分同士で桁方向に連結する。２棟のコンテナハウスを妻方向に連結するとき、該２棟のコンテナハウスを妻方向に並設し、該両コンテナハウスにおける隣接した各柱の部分に設けられている妻方向の連結部を介して、室内からボルト等の連結手段で締結することにより前記２棟のコンテナハウスを、それぞれの柱の室内側に露出した部分同士で妻方向に連結する。また、４棟のコンテナハウスを田の字形につき合わせ、該４棟のコンテナハウスにおける隣接した各柱の部分に設けられている対峙する桁方向の連結部及び対峙する妻方向の連結部を介して、それぞれ室内からボルト等の連結手段で締結することにより前記４棟のコンテナハウスを、それぞれの柱の室内側に露出した部分同士で田の字形に連結することが可能となる。
【０００９】
請求項２記載の発明は、上記柱は主柱と、上記ボルト等による連結部が設けられるとともに前記主柱の室内側に添うように該主柱と一体に構成された副柱体とからなる柱連結式コンテナハウスを提供する。
【００１０】
この構成によれば、例えば、２棟のコンテナハウスは、それぞれ主柱と一体に構成された副柱体の部分に設けられた桁方向もしくは妻方向の連結部を介して、桁方向もしくは妻方向に連結される。
【００１１】
請求項３記載の発明は、上記柱の上端部に固設された桁方向梁もしくは妻方向梁の少なくともいずれかに天井側に対するボルト等による連結部を設け、上記コンテナハウスの底部には前記天井側に対するボルト等による連結部に対応した底部側に対するボルト等による連結部を設けてなる柱連結式コンテナハウスを提供する。
【００１２】
この構成によれば、コンテナハウスを、底部側に設けられている連結部を介して基礎に連結固設することが可能となる。また、２棟のコンテナハウスを２階建に組み立てる場合、前記基礎上に構築された下部のコンテナハウスの上に他のコンテナハウスを載置し、前記下部のコンテナハウスにおける天井側の連結部と前記他のコンテナハウスにおける底部側の連結部とをつき合わせ、ボルト等の連結手段を用いて連結することにより２階建のコンテナハウスを組み立てることが可能となる。さらに天井側の連結部を用いて前記２階建のコンテナハウスを構築しない場合であって、２棟のコンテナハウスを桁方向及び又は妻方向に連結した場合においては、隣接する双方の桁方向梁もしくは妻方向梁の間に連結用の鋼板等を架設し、該鋼板等の両端近傍にボルト挿通孔を開穿してそれぞれ前記天井側の連結部に対峙させ、ボルト等の連結手段で該鋼板等を前記天井側の連結部においても結合させることが可能となる。
【発明の効果】
【００１３】
請求項１記載の発明は、コンテナハウスの隅部に立設された柱における室内側に露出した部位に、当該コンテナハウスの桁方向及び妻方向の連結を可能にするボルト等による連結部を設け、前記コンテナハウスをボルト等の連結手段により桁方向及び又は妻方向に連結可能に構成したので、ボルト等による連結部を柱の室内側に露出した部位に設け、例えば２棟のコンテナハウスを連結する際、該両コンテナハウスにおける各柱の室内側に露出した部分同士を連結することで、連結に必要な部品数を最少にすることができてコスト低減を図ることができ、また、室内への雨漏れ、床面の段差等の不具合の発生を防止することができる。柱の室内側に露出した部位に設けた連結部を、室内からボルト等の連結手段で締結する構造としたことで、どの方向に対しても締結作業を行うことができて、例えば２棟のコンテナハウスの桁方向及び妻方向の連結に加え、４棟のコンテナハウスを田の字形に連結することもできるという利点がある。
【００１４】
請求項２記載の発明は、上記柱は主柱と、上記ボルト等による連結部が設けられるとともに前記主柱の室内側に添うように該主柱と一体に構成された副柱体とからなるようにしたので、請求項１記載の発明の効果に加えてさらに、桁方向及び妻方向の連結を可能にする連結部は、主柱と一体に構成された副柱体の部分に設けたことで、柱本来の強度は何等低下を招くことがないという利点がある。
【００１５】
請求項３記載の発明は、上記柱の上端部に固設された桁方向梁もしくは妻方向梁の少なくともいずれかに天井側に対するボルト等による連結部を設け、上記コンテナハウスの底部には前記天井側に対するボルト等による連結部に対応した底部側に対するボルト等による連結部を設けたので、請求項１又は２記載の発明の効果に加えてさらに、コンテナハウスを、底部側に設けられている連結部を介して基礎に連結固設することができる。また、基礎上に構築された下部のコンテナハウスの上に他のコンテナハウスを載置し、前記下部のコンテナハウスにおける天井側の連結部と前記他のコンテナハウスにおける底部側の連結部とをつき合わせ、ボルト等の連結手段を用いて連結することで、２階建のコンテナハウスを組み立てることができる。さらに天井側の連結部を用いて前記２階建のコンテナハウスを構築しない場合においては、隣接する双方の桁方向梁もしくは妻方向梁の間に連結用の鋼板等を架設し、該鋼板等の両端近傍にボルト挿通孔を開穿してそれぞれ前記天井側の連結部に対峙させ、ボルト等の連結手段で該鋼板等を前記天井側の連結部に結合することによりコンテナハウスの桁方向及び又は妻方向の連結強度を高めることができるという利点がある。
【発明を実施するための最良の形態】
【００１６】
本発明は、連結に必要な部品数を最少にしてコスト低減を図り、また、雨漏れ、床面の段差等の不具合の発生を防止し、さらには、４棟のコンテナハウスを田の字形に連結することを可能にするという目的を、コンテナハウスの隅部に立設された柱を、主柱と、該主柱の室内側に添うように該主柱と一体とした副柱体とで構成し、室内側に露出した前記副柱体の部位に、当該コンテナハウスの桁方向及び妻方向の連結を可能にするボルト等による連結部を設け、前記コンテナハウスをボルト等の連結手段により桁方向及び又は妻方向に連結可能に構成することにより実現した。
【実施例１】
【００１７】
以下、本発明の好適な実施例を図面に従って詳述する。図１はコンテナハウスの四隅に立設された柱を説明するための平面図、図２及び図３はそれぞれコンテナハウスを連結部により桁方向に連結する態様を説明するための分解斜視図、図４及び図５はそれぞれコンテナハウスを連結部により妻方向に連結する態様を説明するための分解斜視図である。
【００１８】
まず、本実施例に係る柱連結式コンテナハウスの構成を説明する。図１において、コンテナハウス１の四隅にそれぞれ柱が立設されている。同図において、コンテナハウス１の左側上方隅に立設されているものを柱２Ｌ１とし、同下方隅に立設されているものを柱２Ｌ２とする。また、コンテナハウス１の右側上方隅に立設されているものを柱２Ｒ１とし、同下方隅に立設されているものを柱２Ｒ２とする。
【００１９】
前記柱２Ｌ１と柱２Ｒ１の各上端部の間及び柱２Ｌ２と柱２Ｒ２の各上端部の間には、それぞれ桁方向梁３，３が架設されている。また、前記柱２Ｌ１と柱２Ｌ２の各上端部の間及び柱２Ｒ１と柱２Ｒ２の各上端部の間には、それぞれ妻方向梁４，４が架設されている。
【００２０】
図２及び図３に示すように、前記柱２Ｌ１と柱２Ｒ１の各下端部の間及び柱２Ｌ２と柱２Ｒ２の各下端部の間には、それぞれ桁方向下枠５，５が架設されている。また、前記柱
２Ｌ１と柱２Ｌ２の各下端部の間及び柱２Ｒ１と柱２Ｒ２の各下端部の間には、それぞれ妻方向下枠６，６が架設されている。
【００２１】
前記各梁３，３，４，４間の水平方向上面、前記各下枠５，５，６，６間の水平方向下面、及び前記各柱２Ｌ１，２Ｒ１，２Ｌ２，２Ｒ２間の鉛直方向の４面には、それぞれ適宜の外壁材７等が架設されて単体のコンテナハウス１が形成されている。
【００２２】
図２及び図３を用いて、前記各柱２Ｌ１，２Ｒ１，２Ｌ２，２Ｒ２の部位に設けられている各桁方向連結部を説明する。前記各柱２Ｌ１，２Ｒ１，２Ｌ２，２Ｒ２は、断面中空方形に形成された主柱２ａと、該主柱２ａにおける室内側に露出した二面にそれぞれ添うように該主柱と一体に形成された二つの副柱体２ｂ，２ｃとで構成されている。該両副柱体２ｂ，２ｃは、それぞれ短辺が主柱２ａにおける短辺よりも短寸の断面中空方形に形成されている。
【００２３】
そして、二つのコンテナハウス１，１が桁方向に連結される際に、図２に示すように、対向面となる柱２Ｌ１における副柱体２ｂの側面と柱２Ｒ１における副柱体２ｂの側面に、桁方向連結部としてのボルト孔８，８が対峙するようにそれぞれ開穿されている。桁方向連結部としてのボルト孔８，８は、柱２Ｌ１，２Ｒ１における各副柱体２ｂの上部及び下部にそれぞれ開穿されている。
【００２４】
また、柱２Ｌ１及び柱２Ｒ１の各副柱体２ｂにおける前記ボルト孔８，８が開穿されている側面と対向する側面の部分には、連結手段としての図示しないボルトを締結する際の作業用切り欠き８ａがそれぞれ形成されている。
【００２５】
上記と同様に、二つのコンテナハウス１，１が桁方向に連結される際に、図３に示すように、対向面となる柱２Ｌ２における副柱体２ｂの側面と柱２Ｒ２における副柱体２ｂの側面に、桁方向連結部としてのボルト孔８，８が対峙するようにそれぞれ開穿されている。桁方向連結部としてのボルト孔８，８は、柱２Ｌ２，２Ｒ２における各副柱体２ｂの上部及び下部にそれぞれ開穿されている。
【００２６】
また、柱２Ｌ２及び柱２Ｒ２の各副柱体２ｂにおける前記ボルト孔８，８が開穿されている側面と対向する側面の部分には、連結手段としてのボルトを締結する際の作業用切り欠きがそれぞれ形成されている（図３中、作業用切り欠きは全て柱２Ｌ２，２Ｒ２等の影になっている）。
【００２７】
図４及び図５を用いて、前記各柱２Ｌ１，２Ｒ１，２Ｌ２，２Ｒ２の部位に設けられている各妻方向連結部を説明する。二つのコンテナハウス１，１が妻方向に連結される際に、図４に示すように、対向面となる柱２Ｒ１における副柱体２ｃの側面と柱２Ｒ２における副柱体２ｃの側面に、妻方向連結部としてのボルト孔９，９が対峙するようにそれぞれ開穿されている。妻方向連結部としてのボルト孔９，９は、柱２Ｒ１，２Ｒ２における各副柱体２ｃの上部及び下部にそれぞれ開穿されている。
【００２８】
また、柱２Ｒ１及び柱２Ｒ２の各副柱体２ｃにおける前記ボルト孔９，９が開穿されている側面と対向する側面の部分には、連結手段としての図示しないボルトを締結する際の作業用切り欠き９ａがそれぞれ形成されている。
【００２９】
上記と同様に、二つのコンテナハウス１，１が妻方向に連結される際に、図５に示すように、対向面となる柱２Ｌ１における副柱体２ｃの側面と柱２Ｌ２における副柱体２ｃの側面に、妻方向連結部としてのボルト孔９，９が対峙するようにそれぞれ開穿されている。妻方向連結部としてのボルト孔９，９は、柱２Ｌ１，２Ｌ２における各副柱体２ｃの上
部及び下部にそれぞれ開穿されている。
【００３０】
また、柱２Ｌ１及び柱２Ｌ２の各副柱体２ｃにおける前記ボルト孔９，９が開穿されている側面と対向する側面の部分には、連結手段としてのボルトを締結する際の作業用切り欠きがそれぞれ形成されている（図５中、作業用切り欠きは全て柱２Ｌ１，２Ｌ２等の影になっている）。
【００３１】
なお、前記桁方向連結部としてのボルト孔８，８及び前記妻方向連結部としてのボルト孔９，９は、各副柱体２ｂ及び各副柱体２ｃにおけるそれぞれ上部と下部の２箇所のみに限らず、当該各副柱体２ｂ及び各副柱体２ｃの各長さに応じて３箇所以上の箇所にそれぞれ開穿することができる。
【００３２】
また、前記柱２Ｌ１と柱２Ｌ２の各上端部間及び柱２Ｒ１と柱２Ｒ２の各上端部間にそれぞれ架設された前記妻方向梁４，４は、図４及び図５に示すように、断面中空方形に形成された主妻方向梁４ａと、該主妻方向梁４ａにおける外部側（室内側と反対側）の面に添うように該主妻方向梁４ａと一体に形成された副妻方向梁４ｂとで構成されている。該副妻方向梁４ｂは、短辺が主妻方向梁４ａにおける短辺よりも短寸の断面中空方形に形成されている。
【００３３】
そして、図５に示すように、前記柱２Ｌ１と柱２Ｌ２の各上端部間に架設された妻方向梁４における前記副妻方向梁４ｂの上面で且つ、前記柱２Ｌ１及び柱２Ｌ２にそれぞれ近接した部位に、天井側の連結部としてのボルト孔１０，１０がそれぞれ開穿されている。前記副妻方向梁４ｂにおける前記ボルト孔１０，１０が開穿されている部分の下方の部位には、作業用切り欠き１０ａが形成されている。
【００３４】
前記柱２Ｌ１と柱２Ｌ２の各下端部間に架設された前記妻方向下枠６における外部側の面で且つ、前記柱２Ｌ１及び柱２Ｌ２にそれぞれ近接した部位には、アングル部材１１がそれぞれ固着されている。該アングル部材１１に、前記天井側のボルト孔１０，１０に対応した底部側の連結部としてのボルト孔１２，１２がそれぞれ開穿されている。
【００３５】
また、図４に示すように、前記柱２Ｒ１と柱２Ｒ２の各上端部間に架設された妻方向梁４における副妻方向梁４ｂの上面で且つ、前記柱２Ｒ１及ぶ柱２Ｒ２にそれぞれ近接した部位に、天井側の連結部としてのボルト孔１０，１０がそれぞれ開穿されている。前記副妻方向梁４ｂにおける前記ボルト孔１０，１０が開穿されている部分の下方の部位には、前記と同様の作業用切り欠きが形成されている（図４中、作業用切り欠きは全て主妻方向梁４ａ等の影になっている）。
【００３６】
前記柱２Ｒ１と柱２Ｒ２の各下端部間に架設された前記妻方向下枠６における外部側の面で且つ、前記柱２Ｒ１及び柱２Ｒ２にそれぞれ近接した部位には、前記と同様のアングル部材がそれぞれ固着されている。該アングル部材に、前記天井側のボルト孔１０，１０に対応した底部側の連結部としてのボルト孔がそれぞれ開穿されている（図４中、アングル部材及び該アングル部材に開穿されたボルト孔は、全て妻方向下枠６等の影になっている）。
【００３７】
なお、前記天井側の連結部としてのボルト孔１０，１０は、前記柱２Ｌ１と柱２Ｒ１の各上端部間及び柱２Ｌ２と柱２Ｒ２の各上端部間に、それぞれ架設した桁方向梁３，３側にも設けてもよく、前記底部側の連結部としてのボルト孔１２，１２は、前記柱２Ｌ１と柱２Ｒ１の各下端部間及び柱２Ｌ２と柱２Ｒ２の各下端部間に、それぞれ架設した桁方向下枠５，５にも設けてもよい。
【００３８】
次に、上述のように構成された柱連結式コンテナハウスの各連結態様及び作用を説明する。
【００３９】
図２及び図３を用いて、２棟のコンテナハウスを桁方向に連結する態様を説明する。２棟のコンテナハウス１，１を桁方向に連結するとき、該２棟のコンテナハウス１，１を桁方向に並設する。このとき、該両コンテナハウス１，１の各柱は、柱２Ｒ１と柱２Ｌ１とが隣接し（図２）、柱２Ｒ２と柱２Ｌ２とが隣接する（図３）。
【００４０】
そして、柱２Ｒ１における副柱体２ｂの部位に開穿されている桁方向連結部としてのボルト孔８，８と、柱２Ｌ１における副柱体２ｂの部位に開穿されている桁方向連結部としてのボルト孔８，８との間に、室内の作業用切り欠き８ａから連結手段としての図示しないボルトを挿通し、該ボルトに他方の作業用切り欠き８ａから図示しないナットを締結する（図２）。
【００４１】
上記と同様に、柱２Ｒ２における副柱体２ｂの部位に開穿されている桁方向連結部としてのボルト孔８，８と、柱２Ｌ２における副柱体２ｂの部位に開穿されている桁方向連結部としてのボルト孔８，８との間に、室内の作業用切り欠き８ａから連結手段としての図示しないボルトを挿通し、該ボルトに他方の作業用切り欠き８ａから図示しないナットを締結する（図３）。
【００４２】
これにより、２棟のコンテナハウス１，１が、それぞれの柱２Ｌ１と２Ｌ２及び２Ｒ１と２Ｒ２における各作業用切り欠き８ａを介して各室内側に露出した部分同士で桁方向に連結される。
【００４３】
このとき、双方のコンテナハウス１，１における隣接する副妻方向梁４ｂ，４ｂの間に，図示しない連結用の鋼板を架設し、該鋼板の両端近傍にボルト挿通孔を開穿してそれぞれ前記天井側の連結部としてのボルト孔１０，１０に対峙させる。そして、鋼板側のボルト挿通孔及び前記天井側の連結部としてのボルト孔１０，１０に連結手段としてのボルトを挿通し、該ボルトに前記作業用切り欠き１０ａの部分から、ナットを締結する。これにより、２棟のコンテナハウス１，１を、隣接する天井側の連結部同士においても桁方向に結合させることができて、桁方向の連結強度を高めることができる。
【００４４】
図４及び図５を用いて、２棟のコンテナハウスを妻方向に連結する態様を説明する。２棟のコンテナハウス１，１を妻方向に連結するとき、該２棟のコンテナハウス１，１を妻方向に並設する。このとき、該両コンテナハウス１，１の各柱は、柱２Ｒ１と柱２Ｒ２とが隣接し（図４）、柱２Ｌ１と柱２Ｌ２とが隣接する（図５）。
【００４５】
そして、柱２Ｒ１における副柱体２ｃの部位に開穿されている妻方向連結部としてのボルト孔９，９と、柱２Ｒ２における副柱体２ｃの部位に開穿されている妻方向連結部としてのボルト孔９，９との間に、室内の作業用切り欠き９ａから連結手段としての図示しないボルトを挿通し、該ボルトに他方の作業用切り欠き９ａから図示しないナットを締結する（図４）。
【００４６】
上記と同様に、柱２Ｌ１における副柱体２ｃの部位に開穿されている妻方向連結部としてのボルト孔９，９と、柱２Ｌ２における副柱体２ｃの部位に開穿されている妻方向連結部としてのボルト孔９，９との間に、室内の作業用切り欠き９ａから連結手段としての図示しないボルトを挿通し、該ボルトに他方の作業用切り欠き９ａから図示しないナットを締結する（図５）。
【００４７】
これにより、２棟のコンテナハウス１，１が、それぞれの柱２Ｌ１と２Ｒ１及び２Ｌ２
と２Ｒ２における各作業用切り欠き９ａを介して各室内側に露出した部分同士で桁方向に連結される。
【００４８】
図２乃至図５を用いて、４棟のコンテナハウスを田の字形に連結する態様を説明する。４棟のコンテナハウス１，…を田の字形につき合わせると、該４棟のコンテナハウス１，…のうち、それぞれ２棟ずつのコンテナハウス１，１が桁方向に並設されるとともに、他の組み合わせからなるそれぞれ２棟ずつのコンテナハウス１，１が妻方向に並設された状態が生じる。
【００４９】
そこで、桁方向に並設された状態となるそれぞれ２棟ずつのコンテナハウス１，１に対しては前記図２及び図３を用いて説明した桁方向に連結する作業を実行し、また、妻方向に並設された状態となる他の組み合わせからなるそれぞれ２棟ずつのコンテナハウス１，１に対しては前記図４及び図５を用いて説明した妻方向に連結する作業を実行する。
【００５０】
これにより、４棟のコンテナハウス１，…が、各柱２Ｌ１，２Ｌ２，２Ｒ１，２Ｒ２における各作業用切り欠き８ａ，９ａを介して各室内側に露出した部分同士で田の字形に連結される。
【００５１】
図４及び図５を用いて、２棟のコンテナハウスを２階建に連結する態様を説明する。２棟のコンテナハウス１，１のうち、下部となるコンテナハウス１を、底部側の連結部としてのボルト孔１２，１２を介して基礎に連結固設する。
【００５２】
そして、前記下部のコンテナハウス１の上に上部のコンテナハウス１を載置し、前記下部のコンテナハウス１における天井側の連結部としてのボルト孔１０，１０と、前記上部のコンテナハウス１における底部側の連結部としてのボルト孔１２，１２とをつき合わせ、連結手段としてのボルト及びナットを用いて連結することにより２階建のコンテナハウス１，１が組み立てられる。
【００５３】
なお、上述の各連結態様において、連結手段としてのボルト及びナットを使用したが、連結箇所に応じて他の連結手段、例えばコの字形万力等を用いることもできる。
【００５４】
上述したように、本実施例に係る柱連結式コンテナハウスにおいては、コンテナハウス１を、該コンテナハウス１における各柱２Ｌ１，２Ｌ２，２Ｒ１，２Ｒ２の室内側に露出した部分同士を連結することで、連結に必要な部品数を最少にすることができてコスト低減を図ることができ、また、室内への雨漏れ、床面の段差等の不具合の発生を防止することができる。
【００５５】
前記柱２Ｌ１，２Ｌ２，２Ｒ１，２Ｒ２の室内側に露出した部位に設けた連結部８，９を、室内からボルト等の連結手段で締結する構造としたことで、どの方向に対しても締結作業を行うことができて、コンテナハウス１，１の桁方向及び妻方向の連結に加え、４棟のコンテナハウス１，…を田の字形に連結することもできる。
【００５６】
桁方向及び妻方向の連結を可能にする連結部８，９は、主柱２ａと一体に構成した副柱体２ｂ，２ｃの部分に設けたことで、柱本来の強度は何等低下を招くことがない。
【００５７】
天井側の連結部１０と底部側の連結部１２を用いて２階建のコンテナハウスを組み立てることもできる。
【００５８】
天井側の連結部１０を用いて前記２階建のコンテナハウスを構築しない場合において、隣接する双方のコンテナハウス１，１における天井側の連結部１０，１０を鋼板等で連結
することで、コンテナハウスの桁方向の連結強度を高めることができる。
【００５９】
なお、本発明は、本発明の精神を逸脱しない限り種々の改変をなすことができ、そして、本発明が該改変されたものにも及ぶことは当然である。
【図面の簡単な説明】
【００６０】
図は、本発明の実施例に係る柱連結式コンテナハウスを示すものである。
【図１】コンテナハウスの四隅に立設された柱を説明するための平面図。
【図２】コンテナハウスを連結部により桁方向に連結する態様を説明するための分解斜視図。
【図３】コンテナハウスを連結部により桁方向に連結する態様を説明するための他の分解斜視図。
【図４】コンテナハウスを連結部により妻方向に連結する態様を説明するための分解斜視図。
【図５】コンテナハウスを連結部により妻方向に連結する態様を説明するための他の分解斜視図。
【符号の説明】
【００６１】
１                              コンテナハウス
２ａ                            主柱
２ｂ，２ｃ                      副柱体
２Ｌ１，２Ｌ２，２Ｒ１，２Ｒ２  柱
３                              桁方向梁
４                              妻方向梁
４ａ                            主妻方向梁
４ｂ                            副妻方向梁
５                              桁方向下枠
６                              妻方向下枠
７                              外壁材
８                              桁方向連結部としてのボルト孔
８ａ                            作業用切り欠き
９                              妻方向連結部としてのボルト孔
９ａ                            作業用切り欠き
１０                              天井側連結部としてのボルト孔
１０ａ                            作業用切り欠き
１１                              アングル部材
１２                              底部側連結部としてのボルト孔
【図１】
2007314937.tif 000003
【図２】
2007314937.tif 000004
【図３】
2007314937.tif 000005
【図４】
2007314937.tif 000006
【図５】
2007314937.tif 000007